(57)【要約】【課題】  被写体に対応する情報をデータ群の中から簡単・迅速に検索することを目的とする。【解決手段】  撮影された花の画像を画像表示装置１２に表示する。タッチセンサを用いて、花弁の中の任意の一点を選択画素Ｐとして選択する。選択画素Ｐから連続的に連結され、選択画素Ｐの色相との差が所定値以内の画素からなる領域（連結成分）ＣＡをマスク画像上において抽出する。領域ＣＡで囲まれる孔Ｈを埋め、領域ＣＡを単連結成分の領域ＳＣに変換する。領域ＳＣとして抽出された形状パターンと、データ群に格納された形状パターンデータとの間でパターンマッチングを行ない、撮影された花に類似する形状パターンデータをもつファイルを検索する。【選択図】        図８
2005100012.tif 000002
【特許請求の範囲】
【請求項１】
複数のパターンデータを含むデータ群を格納する記録手段と、
画像の中の任意の画素を選択するための画素選択手段と、
前記画素選択手段により選択された選択画素の色情報に基づき、前記選択画素を含む連結成分からなる領域を前記画像中から選択する自動選択手段と、
前記領域により囲まれる孔を埋めることにより前記領域を単連結成分からなる領域に変換することにより被写体のパターンを抽出するパターン抽出手段と、
前記パターン抽出手段により抽出された前記被写体のパターンを前記パターンデータと比較するパターン比較手段とを備え
前記パターン比較手段を用いて前記被写体のパターンに適合するパターンデータを前記データ群から検索する
ことを特徴とするデータ検索装置。
【請求項２】
前記色情報が色相に関する情報で、前記連結成分を構成する画素の色相が前記選択画素の色相に対して所定の範囲にあることを特徴とする請求項１に記載のデータ検索装置。
【請求項３】
前記被写体のパターンと前記パターンデータとを用いた検索に先立って、前記データ群の中から検索されるパターンデータを前記色情報に基づいて絞り込むことを特徴とする請求項１に記載のデータ検索装置。
【請求項４】
前記画素選択手段がポインティングデバイスからなることを特徴とする請求項１に記載のデータ検索装置。
【請求項５】
前記画素選択手段が前記画像をスクロールするスクロール機能を備え、前記選択画素の指定が前記画像をスクロールし、前記選択画素を所定の位置に配置することにより行われることを特徴とする請求項１に記載のデータ検索装置。
【請求項６】
画像の中の任意の画素を選択するための画素選択ステップと、
前記画素選択ステップにおいて選択された選択画素の色情報に基づき、前記選択画素を含む連結成分からなる領域を前記画像中から選択する自動選択ステップと、
前記領域により囲まれる孔を埋めることにより前記領域を単連結成分からなる領域に変換して被写体のパターンを抽出するパターン抽出ステップと、
前記パターン抽出ステップにより抽出された前記被写体のパターンを複数のパターンデータと比較するパターン比較ステップとを備え、
前記パターン比較ステップを用いて前記被写体のパターンに適合するパターンデータを前記複数のパターンデータの中から検索する
ことを特徴とするデータ検索方法。
【請求項７】
複数のパターンデータを含むデータ群を格納する記録手段と、
被写体の画像を撮影するための撮像手段と、
前記撮像手段により撮影された画像の任意の画素を選択するための画素選択手段と、
前記画素選択手段により選択された選択画素の色情報に基づき、前記選択画素を含む連結成分からなる領域を選択する自動選択手段と、
前記領域により囲まれる孔を埋めることにより前記領域を単連結成分からなる領域に変換することにより被写体のパターンを抽出するパターン抽出手段と、
前記パターン抽出手段により抽出された前記被写体のパターンを前記パターンデータと比較するパターン比較手段と、
前記パターン比較手段を用いて前記被写体のパターンに適合するパターンデータを前記データ群から検索するデータ検索手段と
を備えることを特徴とするデジタルカメラ機能付き光学機器。
【請求項８】
画像の中の任意の画素を選択するための画素選択処理と、
前記画素選択処理において選択された選択画素の色情報に基づき、前記選択画素を含む連結成分からなる領域を前記画像中から選択する自動選択処理と、
前記領域により囲まれる孔を埋めることにより前記領域を単連結成分からなる領域に変換して被写体のパターンを抽出するパターン抽出処理と、
前記パターン抽出ステップにより抽出された前記被写体のパターンを複数のパターンデータと比較するパターン比較処理とをコンピュータに実行させることができ、
前記パターン比較処理を用いて前記被写体のパターンに適合するパターンデータを前記複数のパターンデータの中から検索する
ことを特徴とするデータ検索プログラム。
【発明の詳細な説明】
【技術分野】
【０００１】
本発明は、被写体の画像に基づいて画像データ群の中から対応する画像データを検索するデータ検索装置等に関する。
【背景技術】
【０００２】
デジタル画像を取り扱う光学機器として、デジタルカメラや、望遠鏡や双眼鏡にデジタルカメラ機能が搭載されたものが知られている。例えば、デジタルカメラ機能付き双眼鏡では、接眼レンズを通して複眼視される映像と略同一の画像を液晶モニタに表示できるとともにデジタル画像として記録可能である。
【０００３】
また、一般に望遠鏡や双眼鏡は、植物の観察や、バードウォッチングなど特定の分野に属する対象物の観察に用いられる。このとき観察者は、観察対象を漠然と観察するのではなく、観察対象の種類や個別の名称などを同定することが一般的である。なお、デジタルカメラでは図鑑機能を持たせたものが提案されている（特許文献１参照）。
【特許文献１】特開２００２−２４７４３６号公報
【発明の開示】
【発明が解決しようとする課題】
【０００４】
本発明は、被写体に対応する情報をデータ群の中から簡単・迅速に検索することを目的とする。
【課題を解決するための手段】
【０００５】
本発明のデータ検索装置は、複数のパターンデータを含むデータ群を格納する記録手段と、画像の中の任意の画素を選択するための画素選択手段と、画素選択手段により選択された選択画素の色情報に基づき、選択画素を含む連結成分からなる領域を画像中から選択する自動選択手段と、領域により囲まれる孔を埋めることにより領域を単連結成分からなる領域に変換することにより被写体のパターンを抽出するパターン抽出手段と、パターン抽出手段により抽出された被写体のパターンをパターンデータと比較するパターン比較手段とを備え、パターン比較手段を用いて被写体のパターンに適合するパターンデータをデータ群から検索することを特徴としている。
【０００６】
色情報は例えば色相に関する情報で、連結成分を構成する画素の色相は、選択画素の色相に対して所定の範囲にある。また、被写体のパターンとパターンデータとを用いた検索に先立って、データ群の中から検索されるパターンデータを色情報に基づいて絞り込むことが好ましい。これにより、より迅速にデータ検索を実行することが可能となる。
【０００７】
画素選択手段は、例えばポインティングデバイスからなる。また例えば、画素選択手段は画像をスクロールするスクロール機能を備え、選択画素の指定は画像をスクロールし、選択画素を所定の位置に配置することにより行われてもよい。
【０００８】
本発明のデータ検索方法は、画像の中の任意の画素を選択するための画素選択ステップと、画素選択ステップにおいて選択された選択画素の色情報に基づき、選択画素を含む連結成分からなる領域を画像中から選択する自動選択ステップと、領域により囲まれる孔を埋めることにより領域を単連結成分からなる領域に変換して被写体のパターンを抽出するパターン抽出ステップと、パターン抽出ステップにより抽出された被写体のパターンを複数のパターンデータと比較するパターン比較ステップとを備え、パターン比較ステップを用いて被写体のパターンに適合するパターンデータを複数のパターンデータの中から検索することを特徴としている。
【０００９】
本発明のデジタルカメラ機能付き光学機器は、複数のパターンデータを含むデータ群を格納する記録手段と、被写体の画像を撮影するための撮像手段と、撮像手段により撮影された画像の任意の画素を選択するための画素選択手段と、画素選択手段により選択された選択画素の色情報に基づき、選択画素を含む連結成分からなる領域を選択する自動選択手段と、領域により囲まれる孔を埋めることにより領域を単連結成分からなる領域に変換することにより被写体のパターンを抽出するパターン抽出手段と、パターン抽出手段により抽出された被写体のパターンをパターンデータと比較するパターン比較手段と、パターン比較手段を用いて被写体のパターンに適合するパターンデータをデータ群から検索するデータ検索手段とを備えたことを特徴としている。
【００１０】
本発明のデータ検索プログラムは、画像の中の任意の画素を選択するための画素選択処理と、画素選択処理において選択された選択画素の色情報に基づき、選択画素を含む連結成分からなる領域を画像中から選択する自動選択処理と、領域により囲まれる孔を埋めることにより領域を単連結成分からなる領域に変換して被写体のパターンを抽出するパターン抽出処理と、パターン抽出ステップにより抽出された被写体のパターンを複数のパターンデータと比較するパターン比較処理とをコンピュータに実行させることができ、パターン比較処理を用いて被写体のパターンに適合するパターンデータを複数のパターンデータの中から検索することを特徴としている。
【発明の効果】
【００１１】
以上のように、本発明によれば、被写体に対応する情報をデータ群の中から簡単・迅速に検索することができる。
【発明を実施するための最良の形態】
【００１２】
以下、本発明の実施の形態を、図面を参照して説明する。
図１は、本発明が適用された第１実施形態のデジタルカメラ機能付き双眼鏡の外観を接眼レンズ側（背面側）から見たときの斜視図である。
【００１３】
双眼鏡１０の背面には、一対の接眼部１１Ｒ、１１Ｌが設けられ、その上面の略中央には、ＬＣＤなどの画像表示装置１２が設けられ、画像表示装置１２の後方（図１において、双眼鏡１０から観察体に向かう方向を前方、接眼部に向かう方向を後方とする）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。
【００１４】
双眼鏡１０の上面右手前側にはレリーズボタン１４が設けられる。レリーズボタン１４の前方には、メニューキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１５】
図２に、図１のデジタルカメラ機能付き双眼鏡１０の電気的な構成を示すブロック図を示す。
【００１６】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１７】
キャプチャ回路２２は、撮像ブロック２１からの画像信号（画像データ）をレリーズボタン１４の操作に応じて一時的に保持するとともに必要に応じて間引き処理等を行ないプロセッサ２３に出力する。例えば、撮像素子で撮像された画像を画像表示装置１２に動画像として表示する場合には、間引きした画像信号を随時プロセッサ２３に出力し、バスＢＳを介して画像表示装置１２に動画として表示する。また通常の撮影動作においてレリーズボタン１４が操作されると、例えば間引きを行っていない画像データをプロセッサ２３に出力し、バスＢＳを介してワークＲＡＭ（WORK RAM）２８に一時的に保存する。
【００１８】
ワークＲＡＭ２８に保存された画像データは、プロセッサ２３及びバスＢＳを介して画像表示装置１２に静止画像として表示可能である。なお、撮像ブロック２１、キャプチャ回路２２は、タイミングジェネレータ２４からの同期信号に基づいて制御され、タイミングジェネレータ２４は、プロセッサ２３により制御される。
【００１９】
プロセッサ２３は、双眼鏡１０における撮影制御や画像データの生成、記録、表示といった動作全体を統括的に制御するマイクロコンピュータである。プロセッサ２３は、キャプチャ回路２２から入力される間引された画像信号から、３０フレーム／秒の画像データを生成し、バスＢＳを介して画像表示装置１２へ出力する。すなわち、撮像ブロック２１が撮影している画像はリアルタイムで画像表示装置１２に３０フレーム／秒の動画像として表示される（以下、この動作をライブビュー、またこの動作により生成される動画像をライブビュー動画像という）。
【００２０】
また、プロセッサ２３には、バスＢＳを介してＲＯＭ２９やポインティングデバイス３０が接続され、更にレリーズボタン１４の押圧操作でオンするレリーズスイッチや、メニューキー１５、ディスプレイボタン１６、矢印キー１７Ｕ、１７Ｄ、１７Ｌ、１７Ｒと、ＯＫキー１８の各ボタンに対応するスイッチ等からなるスイッチ群２５が接続される。本実施形態においてポインティングデバイス３０は、例えば画像表示装置１２の表面に設けられたタッチパネルである。
【００２１】
プロセッサ２３には、更にＩ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を検出するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００２２】
次に図３、図４を参照して、本実施形態の記録媒体Ｍに格納された図鑑データの構成に関して説明する。記録媒体Ｍには、例えば「花の図鑑」に対応する図鑑データが格納されており、図鑑データ（データ群）には、様々な花の画像に対応する画像データファイルが多数含まれる。図３は、図鑑データを構成する画像データファイルの一例を模式的に示したものである。
【００２３】
画像データファイルＦは、花の画像データが格納される画像データ領域ＩＡと、画像データファイルＦに関連する様々な情報が格納されるヘッダ領域ＨＡとから構成される。ヘッダ領域ＨＡには、その花を特徴付ける色情報（例えば色相）が格納される色情報設定領域ＣＡと、その花を特徴付ける形状パターンを格納した形状パターンファイルに関する情報（例えばパス）が格納される形状パターンファイル情報領域ＰＡが設けられる。
【００２４】
図４に各花の画像データに対応する形状パターンファイルの構成を模式的に示す。形状パターンファイルは、例えば２値画像ファイルである。例えば「ｐａｔｔｅｒｎ０１．ｊｐｇ」の形状パターンファイルは「菊」系の花形（形状パターンデータ）を格納した形状パターンファイルであり、「ｐａｔｔｅｒｎ０２．ｊｐｇ」は「百合」系の花形を格納した形状パターンファイルである。また「ｐａｔｔｅｒｎ０３．ｊｐｇ」は「チューリップ」系の花形を格納した形状パターンファイルである。すなわち、「菊」系の花形をもつ花の画像が格納された画像データファイルＦの形状パターンファイル情報領域ＰＡには、「ｐａｔｔｅｒｎ０１．ｊｐｇ」のファイルのパスが格納されており、「百合」系の花形をもつ花の画像が格納された画像データファイルＦの形状パターンファイル情報領域ＰＡには「ｐａｔｔｅｒｎ０２．ｊｐｇ」のファイルのパスが格納されている。
【００２５】
次に図５〜図８を参照して、本発明の第１実施形態であるデジタルカメラ機能付き双眼鏡１０に適用された検索処理機能について説明する。なお、本実施形態では、双眼鏡１０を、花の観察に用いた場合を例に説明を行なう。図５〜図７は、第１実施形態の検索処理プログラムのフローチャートであり、図８（ａ）〜（ｃ）は、第１実施形態の検索処理プログラムが実行される際に、画像表示装置１２上に表示される画像データからのパターン抽出処理の過程を模式的に示す図である。
【００２６】
ステップＳ１０１では、例えば撮影され、ワークＲＡＭ２８に格納された花のカラー画像（被マスク画像）が図８（ａ）のように画像表示装置１２の画面に表示される。ステップＳ１０２では、タッチセンサ式の表示パネルである画像表示装置１２上において検索する被写体（花）の部位（例えば花弁）の任意の位置を例えばポインティングペンで指定し１つの画素Ｐを選択する。
【００２７】
ステップＳ１０３では、撮影され画像表示装置１２の画面に表示された花の画像のマスク画像（２次元配列のマスクプレーン）がクリアされ、マスク画像の全ての２値データ（画素値）が０にリセットされる。また、ステップＳ１０４では、ステップＳ１０２で選択された画素Ｐに対応するマスク画像の画素値が１に設定される。
【００２８】
ステップＳ１０５では、撮影され、画像表示装置１２に表示された花のカラー画像の各画素に対応するＲＧＢ値から各々の画素の色相が全画素に対して算出され、ワークＲＡＭ２８に一時的に記憶される。また、ステップＳ１０６では、選択された画素Ｐに対応する色相ＣＰ0が取得される。
【００２９】
ステップＳ１０７では、マスク画像において画素値が１の画素に隣接する画素の被マスク画像における色相ＣＰが取得され、選択画素Ｐの色相ＣＰ0との間の絶対値｜ＣＰ−ＣＰ0｜が算出される。｜ＣＰ−ＣＰ0｜の値が所定値以内であれば色相ＣＰの画素に対応するマスク画像の画素値が１に設定される（それ以外の場合は０のままとされる）。すなわち、ステップＳ１０６が実行された直後においては、画素Ｐの周囲の画素の色相ＣＰが画素Ｐの色相ＣＰ0と比較される。
【００３０】
ステップＳ１０８では、マスク画像において画素値が１の画素の周囲に、｜ＣＰ−ＣＰ0｜≦所定値となる画素が存在しないか否かが判定される。｜ＣＰ−ＣＰ0｜≦所定値となる画素が存在する場合には、ステップＳ１０７に戻り同様の処理を繰り返す。一方、画素値が１の画素の周囲において｜ＣＰ−ＣＰ0｜≦所定値となる画素が存在しない場合には、ステップＳ１０９に進む。すなわち、ステップＳ１０７、Ｓ１０８の繰り返しにより、｜ＣＰ−ＣＰ0｜≦所定値を満たす領域が画素Ｐを含む連結成分として画定される。例えば図８（ｂ）のように、選択画素Ｐが花弁内の１点であるので、花弁に対応する領域ＣＡが自動選択される。
【００３１】
ステップＳ１０９では、ステップＳ１０７、Ｓ１０８で画定された画素値が１の領域で囲まれる全ての画素値が１とされる。すなわち、マスク画像において画定された連結成分に孔（図８（ｂ）における領域Ｈ）が存在する場合に、孔に対応する領域の画素値が全て１に変換される。これにより、図８（ｃ）のように、被マスク画像（撮影された花の画像）の花に対応する領域ＳＣが、マスク画像において１つの単連結成分として画定され、検索される花の画像の形状パターンとして抽出される。
【００３２】
次にステップＳ１１０において、記録媒体Ｍ内の図鑑データである画像データファイルＦの各々から色相情報（色情報）が読み出され、色相ＣＰ0を含むファイルが絞り込まれる。なお、画像データファイルＦの色相情報は、例えば所定の幅を持つ色相値から構成される。ステップＳ１１１では、絞り込まれた画像データファイルＦに対応する形状パターンファイルの画像データが順次読み出され、ステップＳ１０７〜Ｓ１０９において抽出された形状パターンとのパターンマッチングが行なわれる。これにより、色情報により絞り込まれた画像データファイルの中から、更に形状パターンの類似度に基づいて、画像データファイルが絞り込まれる。この時、類似している形状が検出されない場合は、ステップＳ１１０で絞り込まれたもの全てとする。
【００３３】
ステップＳ１１２では、ステップＳ１１０、Ｓ１１１において絞り込まれた画像データファイルのうち、最初に検索される画像データファイルＦの画像データ領域ＩＡに格納された画像データが読み出され、画像表示装置１２に表示される。また、ステップＳ１１３では、右矢印キー１７Ｒ、左矢印キー１７Ｌ等の操作に連動して、順次絞り込まれた画像データファイルＦの画像を画像表示装置１２に表示する。この動作は例えばメニューキー１５が長押しされるまで繰り返され、メニューキー１５が長押しされるとこの検索処理プログラムは終了し、例えば通常のデジタルカメラとしての処理が開始される。
【００３４】
以上のように、本実施形態の検索処理プログラムが搭載されたデジタルカメラ機能付き双眼鏡によれば、撮影された画像から目的とする被写体の形状パターンを簡単・迅速に抽出することができ、これに基づいて、被写体に関連するデータを簡単・迅速に検索することが可能となる。特に本実施形態は、静止した被写体の形状パターンを抽出するのに有効であり、花などのように形状パターンの輪郭近傍が略同じ系統の色から構成される被写体に特に有効である。
【００３５】
また、本実施形態では、負荷の高いパターンマッチングを行なう前に色情報に基づいて検索対象を絞り込んでいるので、より効率的に検索処理を行なうことができる。また、更に、本実施形態では、タッチセンサ式のポインティングデバイスを用いているので、ユーザは表示画面上において簡単に所望の画素を選択することができる。
【００３６】
次に図９を参照して、本発明が適用された第２実施形態のデジタルカメラ機能付き双眼鏡について説明する。第２実施形態のデジタルカメラ機能付き双眼鏡は、ポインティングデバイス３０を備えない第１実施形態のデジタルカメラ機能付き双眼鏡１０に相当する。したがって、ポインティングデバイスに係る構成以外については、第１実施形態と略同様である。以下、第１実施形態と異なる構成についてのみ説明する。
【００３７】
図９は、第２実施形態における検索処理プログラムの一部であり、第１実施形態のステップＳ１０１、１０２に対応する。すなわち、第１実施形態では、タッチセンサ（ポインティングデバイス３０）を用いて撮影された画像上の任意の画素が選択されたが、第２実施形態では、ポインティングデバイスを備えていないので、矢印キー（カーソルキー）１７Ｕ、１７Ｄ、１７Ｒ、１７Ｌ等を用いて画素の選択を行われる。なお、第２実施形態の検索処理プログラムにおいて、画素選択に係る処理以外の処理は、第１実施形態と同様である。
【００３８】
ステップＳ２０１では、ステップＳ１０１と同様に画像再生処理が開始され、撮影されワークＲＡＭ２８に格納された画像（花の画像）が画像表示装置１２に表示される。また、このとき画面中央には、画面中央を示す「＋」記号が表示される。ステップＳ２０１〜ステップＳ２０６では、矢印キー（カーソルキー）１７Ｒ、１７Ｌ、１７Ｕ、１７Ｄ、及びＯＫキー１８が操作されたか否かが各々判定され、各キーの操作に応じて所定の処理が行われる。
【００３９】
ステップＳ２０２において、右矢印キー１７Ｒが操作されたと判定された場合には、ステップＳ２０７においてレリーズスイッチがＯＮされているか否かが判定される。レリーズスイッチがＯＮされていると判定された場合には、表示されている画像がステップＳ２０８において１ステップ（所定量）左へスクロールされ、ステップＳ２０２以下の処理に戻る。一方、レリーズスイッチがＯＮされないときには、次の画像（例えば次に撮影された画像）がステップＳ２０９において表示され、ステップＳ２０２以下の処理に戻る。
【００４０】
ステップＳ２０３において、左矢印キー１７Ｌが操作されたと判定された場合には、ステップＳ２１０においてレリーズスイッチがＯＮされているか否かが判定される。レリーズスイッチがＯＮされていると判定された場合には、表示されている画像がステップＳ２１１において１ステップ（所定量）右へスクロールされ、ステップＳ２０２以下の処理に戻る。一方、レリーズスイッチがＯＮされないときには、１つ前の画像（例えば１つ前に撮影された画像）がステップＳ２１２において表示され、ステップＳ２０２以下の処理に戻る。
【００４１】
ステップＳ２０４において、上矢印キー１７Ｕが操作されたと判定された場合には、ステップＳ２１３においてレリーズスイッチがＯＮされているか否かが判定される。レリーズスイッチがＯＮされていると判定された場合には、表示されている画像がステップＳ２１４において１ステップ（所定量）下へスクロールされ、ステップＳ２０２以下の処理に戻る。一方、レリーズスイッチがＯＮされないときには、表示されている画像がステップＳ２１５におい１ステップ(所定倍率分)ズームインされ、ステップＳ２０２以下の処理に戻る。
【００４２】
ステップＳ２０５において、下矢印キー１７Ｄが操作されたと判定された場合には、ステップＳ２１６においてレリーズスイッチがＯＮされているか否かが判定される。レリーズスイッチがＯＮされていると判定された場合には、表示されている画像がステップＳ２１７において１ステップ（所定量）上へスクロールされ、ステップＳ２０２以下の処理に戻る。一方、レリーズスイッチがＯＮされないときには、表示されている画像がステップＳ２１８におい１ステップ(所定倍率分)ズームアウトされ、ステップＳ２０２以下の処理に戻る。
【００４３】
ステップＳ２０６では、ＯＫキー１８がＯＮされたか否かが判定され、ＯＫキー１８がＯＮされるまでステップＳ２０２〜ステップＳ２０５の処理が繰り返される。一方ＯＫキー１８がＯＮされたと判定された場合には、そのときに画面中央に存在する画素が選択画素Ｐとして選択され、以下第１実施形態と同様に図６、図７のステップ１０３〜Ｓ１０９の処理が実行される。
【００４４】
すなわち、第２実施形態の検索処理プログラムでは、レリーズボタン１４が押された状態で矢印キー１７Ｕ、１７Ｄ、１７Ｌ、１７Ｒが操作された場合には、画像表示装置１２に表示された画像が矢印キー１７Ｕ、１７Ｄ、１７Ｌ、１７Ｒの操作に対応してスクロールされる。また、レリーズボタン１４が押されていない状態で左右の矢印キー１７Ｌ、１７Ｒが操作された場合には、その操作に対応して撮影された画像の切り替えが行なわれ、レリーズボタン１４が押されていない状態で上下の矢印キー１７Ｕ、１７Ｄが操作された場合には、その操作に対応して表示画像のズームイン、ズームアウトが行われる。
【００４５】
以上のように、第２実施形態のデジタルカメラ機能付き双眼鏡においても、第１実施形態と略同様の効果を得ることができる。また、第２実施形態の検索処理プログラムによれば、ポインティングデバイスを備えない装置においても、表示画像上において簡単に任意の画素を指定・選択することができる。
【００４６】
なお、検索処理プログラムは双眼鏡本体内に内蔵されたＲＯＭ等の記録媒体に格納されていてもよいが、ＩＣメモリカード等の着脱自在な外部記録媒体に格納されてもよい。また、本実施形態では、デジタルカメラ機能を備えた双眼鏡を例に説明を行なったが、本発明をデジタルカメラそのものや、デジタルカメラ機能を備えた他の光学機器に応用できる。また更に、パーソナルコンピュータなどに本実施形態の検索処理プログラムをインストールすることにより、過去に撮影された画像に対してパーソナルコンピュータ上において検索処理を行なうことも可能である。
【００４７】
本実施形態では、花の図鑑の図鑑データとして、画像データのみを例示したが、様々な情報（文字情報や音声情報など）を形状パターンデータと関連付けることにより図鑑データとして扱うことができる。
【図面の簡単な説明】
【００４８】
【図１】本発明の第１実施形態であるデジタルカメラ機能付き双眼鏡の外観を示す斜視図である。
【図２】図１に示された双眼鏡のデジタルカメラに関わる電気的構成を示すブロック図である。
【図３】図鑑データである画像データファイルの構成を模式的に示す図である。
【図４】画像データファイルに対応する形状パターンファイルの構成を模式的に示す図である。
【図５】第１実施形態の検索処理プログラムの画素選択に係る部分のフローチャートである。
【図６】第１、第２実施形態の検索処理プログラムにおいて共通する部分の前半部を示すフローチャートである。
【図７】図６のフローチャートの後半部である。
【図８】検索処理プログラムにおける形状パターン抽出処理の概念を説明するための図であり、マスク画像における形状パターンの抽出を時系列で模式的に示す図である。
【図９】第２実施形態における検索処理プログラムの画素選択に係る部分のフローチャートである。
【符号の説明】
【００４９】
１０  デジタルカメラ機能付き双眼鏡
１２  画像表示装置（ＬＣＤ）
２１  撮像ブロック
２３  プロセッサ
２５  スイッチ群
２８  ワークＲＡＭ
２９  ＲＯＭ
３０  ポインティングデバイス
Ｍ  記録媒体（ＩＣメモリカード、外部記憶）
【図１】
2005100012.tif 000003
【図２】
2005100012.tif 000004
【図３】
2005100012.tif 000005
【図４】
2005100012.tif 000006
【図５】
2005100012.tif 000007
【図６】
2005100012.tif 000008
【図７】
2005100012.tif 000009
【図８】
2005100012.tif 000010
【図９】
2005100012.tif 000011